(57)【要約】【課題】従来技術においては、例えば、特定のボタンへの誤入力防止の点でさらなる改善の余地がある。【解決手段】実施形態のエレベータ用ボタン装置は、ボタントップと、ボタン枠と、ボタンカバーとを備える。ボタントップは、エレベータに設けられる。ボタン枠は、前記ボタントップの周囲を囲む。ボタンカバーは、前記ボタン枠の鉛直方向上端部に支持され、水平方向に沿った回動軸線を中心として、前記ボタントップの前面を覆う閉位置と前記ボタントップの前面が露出した開位置とに上下回動自在である。【選択図】図４
2015024916.tif 000002
【特許請求の範囲】
【請求項１】
エレベータに設けられるボタントップと、
前記ボタントップの周囲を囲むボタン枠と、
前記ボタン枠の鉛直方向上端部に支持され、水平方向に沿った回動軸線を中心として、前記ボタントップの前面を覆う閉位置と前記ボタントップの前面が露出した開位置とに上下回動自在であるボタンカバーとを備えることを特徴とする、
エレベータ用ボタン装置。
【請求項２】
前記ボタンカバーは、前記閉位置で前記ボタン枠の前面と当接し、輪郭が当該ボタン枠の前面の輪郭と同等に形成されるカバー部本体を有する、
請求項１に記載のエレベータ用ボタン装置。
【請求項３】
前記ボタンカバーは、前記ボタン枠の前面と当接する前記閉位置から、前記ボタン枠が設けられるフェースプレートと当接する全開位置まで、１８０度以上回動可能である、
請求項１又は請求項２に記載のエレベータ用ボタン装置。
【請求項４】
前記ボタン枠は、前面側から、当該ボタン枠が設けられるフェースプレート側に向って徐々に広がる傾斜面が形成された枠状部を有し、
前記ボタンカバーは、前記閉位置で、端面が前記ボタン枠の前面に対して垂直となるように形成される、
請求項１乃至請求項３のいずれか１項に記載のエレベータ用ボタン装置。
【請求項５】
前記回動軸線は、鉛直方向に対して前記ボタントップと重ならない位置に設定される、
請求項１乃至請求項４のいずれか１項に記載のエレベータ用ボタン装置。
【請求項６】
前記ボタン枠の鉛直方向上端部、又は、前記ボタンカバーの一方の幅方向両側に水平方向に沿って設けられる一対の凹部と、
前記ボタン枠の鉛直方向上端部、又は、前記ボタンカバーの他方の幅方向両側に水平方向に沿って設けられる一対の突起部とを備え、
前記ボタンカバーは、各前記突起部が各前記凹部に挿入されることで、前記ボタン枠の鉛直方向上端部に水平方向に沿った回動軸線を中心として回動自在に支持される、
請求項１乃至請求項５のいずれか１項に記載のエレベータ用ボタン装置。
【請求項７】
前記突起部は、前記ボタンカバーに設けられ、
前記凹部は、前記ボタン枠の鉛直方向上端部に設けられると共に当該ボタン枠が設けられるフェースプレート側まで貫通し、
前記ボタンカバーは、前記突起部が前記凹部内で前記ボタン枠と前記フェースプレートとに支持される、
請求項６に記載のエレベータ用ボタン装置。
【請求項８】
エレベータの乗りかご内、又は、乗場に設けられ利用者の操作を受け付けるエレベータ用操作盤であって、
ボタントップと、前記ボタントップの周囲を囲むボタン枠と、前記ボタン枠の鉛直方向上端部に支持され、水平方向に沿った回動軸線を中心として、前記ボタントップの前面を覆う閉位置と前記ボタントップの前面が露出した開位置とに上下回動自在であるボタンカバーとを有するエレベータ用ボタン装置を備えることを特徴とする、
エレベータ用操作盤。
【発明の詳細な説明】
【技術分野】
【０００１】
本発明の実施形態は、エレベータ用ボタン装置、及び、エレベータ用操作盤に関する。
【背景技術】
【０００２】
従来、エレベータは、昇降路内を乗りかご（かご）が移動することにより、乗りかごを任意の階床に移動させる。このようなエレベータでは、乗りかご内や乗場に種々のエレベータ用ボタン装置を含むエレベータ用操作盤が設けられる。
【先行技術文献】
【特許文献】
【０００３】
【特許文献１】特許第４９０６４９４号公報
【発明の概要】
【発明が解決しようとする課題】
【０００４】
ところで、従来技術においては、例えば、特定のボタンへの誤入力防止の点でさらなる改善の余地がある。
【課題を解決するための手段】
【０００５】
実施形態のエレベータ用ボタン装置は、ボタントップと、ボタン枠と、ボタンカバーとを備える。ボタントップは、エレベータに設けられる。ボタン枠は、前記ボタントップの周囲を囲む。ボタンカバーは、前記ボタン枠の鉛直方向上端部に支持され、水平方向に沿った回動軸線を中心として、前記ボタントップの前面を覆う閉位置と前記ボタントップの前面が露出した開位置とに上下回動自在である。
【図面の簡単な説明】
【０００６】
【図１】図１は、実施形態１に係るエレベータの概略構成例を示すブロック図である。
【図２】図２は、実施形態１に係るエレベータ用操作盤の一例を示す正面図である。
【図３】図３は、実施形態１に係るエレベータ用ボタン装置の鉛直方向に沿った断面図である。
【図４】図４は、実施形態１に係るエレベータ用ボタン装置の斜視図である。
【図５】図５は、実施形態１に係るエレベータ用ボタン装置の正面図である。
【図６】図６は、実施形態１に係るエレベータ用ボタン装置の模式的な側面図である。
【図７】図７は、実施形態１に係るボタン枠を鉛直方向上側から視た図である。
【図８】図８は、実施形態１に係るボタン枠の鉛直方向に沿った断面図である。
【図９】図９は、実施形態１に係るボタンカバーの斜視図である。
【図１０】図１０は、実施形態２に係るエレベータ用ボタン装置の斜視図である。
【図１１】図１１は、実施形態３に係るエレベータ用ボタン装置の概略構成を表す模式的な側面図である。
【図１２】図１２は、実施形態４に係るエレベータ用ボタン装置の概略構成を表す模式的な分解斜視図である。
【図１３】図１３は、実施形態５に係るボタンカバーの正面図である。
【図１４】図１４は、実施形態６に係るボタンカバーの正面図である。
【図１５】図１５は、実施形態７に係るボタンカバーの部分正面図である。
【図１６】図１６は、実施形態８に係るボタンカバーの部分正面図である。
【図１７】図１７は、実施形態９に係るボタン枠の幅方向に沿った断面図である。
【図１８】図１８は、実施形態１０に係るボタンカバーの正面図である。
【発明を実施するための形態】
【０００７】
［実施形態１］
図１は、実施形態１に係るエレベータの概略構成例を示すブロック図である。図２は、実施形態１に係るエレベータ用操作盤の一例を示す正面図である。
【０００８】
本実施形態に係るエレベータ用ボタン装置５０、及び、エレベータ用操作盤１００は、図１に示すようなエレベータ１に適用される。エレベータ１は、乗りかご２が昇降路７内を昇降することで任意の目的階の乗場６に移動することができるものである。エレベータ１は、乗りかご２、カウンタウェイト３、メインロープ４、巻上機５、制御装置１０等を含んで構成される。エレベータ１は、乗りかご２とカウンタウェイト３とをメインロープ４で連結したいわゆるつるべ式のエレベータである。エレベータ１は、乗場６が設けられる。乗りかご２は、建物に設けられた昇降路７を昇降可能である。乗りかご２は、かご操作盤８等を含んで構成される。かご操作盤８は、乗りかご２の内部に設けられる。かご操作盤８は、エレベータ用操作盤１００を構成し、利用者による操作入力に応じていわゆるかご呼び登録等を行う。メインロープ４は、巻上機５のメインシーブ５ａやそらせシーブ５ｂ等に掛けられる。メインロープ４は、一端に乗りかご２が接続され、他端にカウンタウェイト３が接続される。巻上機５は、例えば、動力を発生させる電動機（モータ）５ｃを有する。巻上機５は、電動機５ｃが駆動することで、この電動機５ｃに連結されたメインシーブ５ａが回転駆動する。そして、巻上機５は、メインシーブ５ａとメインロープ４との間に生じる摩擦力を利用してメインロープ４を電動で巻き上げる。乗場６は、乗りかご２が着床可能な各エレベータ停止階床に設けられる。各乗場６は、乗場操作盤９等を含んで構成される。乗場操作盤９は、エレベータ用操作盤１００を構成し、利用者による操作入力に応じていわゆる乗場呼び登録等を行う。  
【０００９】
上記のように構成されるエレベータ１は、利用者によりかご操作盤８、乗場操作盤９等を介して乗りかご２の呼び操作が行われた場合、下記のように動作する。すなわち、エレベータ１は、かご操作盤８、乗場操作盤９等から制御装置１０にこれに応じたかご呼び登録信号、乗場呼び登録信号が入力される。そして、エレベータ１は、制御装置１０がこのかご呼び登録信号、乗場呼び登録信号に応じて乗りかご２のかご呼び登録、あるいは、乗場呼び登録を行う。そして、制御装置１０は、かご呼び登録、乗場呼び登録、種々のセンサ、検出器からの出力、乗りかご２の現在の移動方向（昇降方向）等に基づいて、乗りかご２が合理的に移動しながらそれぞれの呼びに応答するように乗りかご２の着床順序を定める。そして、制御装置１０は、巻上機５を駆動制御し、乗りかご２を目的の階床へと移動させる。これにより、エレベータ１は、乗りかご２が昇降路７内を鉛直方向上下に昇降移動し、任意の目的階の乗場６に移動する。そして、エレベータ１は、乗りかご２が目的階の乗場６に着床し、所定の着床位置に着床したことが検出されると、その後、制御装置１０が乗りかご２及び乗場６の扉１１を開放する。これにより、乗場６で待機している利用者は、乗りかご２内に乗り込むことが可能となり、また、乗りかご２内の利用者は乗場６に降りることが可能となる。
【００１０】
そして、本実施形態のエレベータ用操作盤１００は、乗りかご２内、又は、乗場６に設けられ、利用者の種々の操作を受け付けるものであり、上述のようにかご操作盤８、乗場操作盤９を含んで構成される。かご操作盤８は、乗りかご２内のＣＯＰ（Ｃａｒ  Ｏｐｅｒａｔｉｏｎ  Ｐａｎｅｒｌ）に組み込まれて設けられてもよい。乗場操作盤９は、乗場６のＨＩＢ（Ｈａｌｌ  Ｉｎｄｉｃａｔｏｒ  Ｂｏｘ）に組み込まれて設けられてもよい。そして、本実施形態のエレベータ用操作盤１００は、開閉式ボタンカバー付のエレベータ用ボタン装置５０を含んで構成される。
【００１１】
図２は、乗りかご２のリターンパネルに設けられるかご操作盤８（エレベータ用操作盤１００）の一例を表している。図２に示すかご操作盤８は、現在階床や昇降方向を表示する表示部８１ａの鉛直方向下側に、上側から順に上側非常用ボタン８２ａ、かご呼び登録ボタン８３ａ、戸開ボタン８４ａ及び戸閉ボタン８５ａ、下側非常用ボタン８６ａ及び開延長ボタン８７ａが設けられる。上側非常用ボタン８２ａ、下側非常用ボタン８６ａは、非常時に外部との連絡を行うボタンである。かご呼び登録ボタン８３ａは、「行先階」を表すボタン（ここでは１〜１６）等からなり利用者による呼び登録操作を受け付けるものである。戸開ボタン８４ａ及び戸閉ボタン８５ａは、扉１１の「開」、「閉」等に対応し利用者による扉開放操作、扉閉鎖操作を受け付けるものである。開延長ボタン８７ａは、利用者による扉開延長操作を受け付けるものである。
【００１２】
そして、本実施形態の開閉式ボタンカバー付のエレベータ用ボタン装置５０は、特定のボタンへの誤入力を抑制するものである。エレベータ用ボタン装置５０は、典型的には、普段の運行では使用頻度が低く、特定の状況下で使用される傾向にあるボタンに適用される。ここでは、エレベータ用ボタン装置５０は、上側非常用ボタン８２ａ、下側非常用ボタン８６ａ等に適用される。なお、エレベータ用ボタン装置５０は、これに限らず、例えば、特定の利用者しか使用しない特定の階床のかご呼び登録ボタン８３ａに適用されてもよい。また、エレベータ用ボタン装置５０は、車椅子利用者用のかご操作盤８の非常用ボタン、非常用ボタンを単体で備えるかご操作盤８の当該非常用ボタン、乗場操作盤９の優先呼ボタン等に適用されてもよい。優先呼ボタンは、例えば、複数の乗りかご２の中から予め設定される特定の乗りかご２を乗場６に呼ぶための優先呼び登録操作を受け付けるものである。特定の乗りかご２は、例えば、ストレッチャ等の大型な積載物を積載可能な大きさの乗りかご２、車椅子用の乗りかご２、特定の階床に着床可能な乗りかご２等、種々の乗りかご２とすることができる。
【００１３】
以下、図３から図９を参照して開閉式ボタンカバー付のエレベータ用ボタン装置５０について説明する。図３は、実施形態１に係るエレベータ用ボタン装置の鉛直方向に沿った断面図である。図４は、実施形態１に係るエレベータ用ボタン装置の斜視図である。図４は、閉位置にある状態を表している。図５は、実施形態１に係るエレベータ用ボタン装置の正面図である。図６は、実施形態１に係るエレベータ用ボタン装置の模式的な側面図である。図７は、実施形態１に係るボタン枠を鉛直方向上側から視た図である。図８は、実施形態１に係るボタン枠の鉛直方向に沿った断面図である。図９は、実施形態１に係るボタンカバーの斜視図である。
【００１４】
以下の説明では、上側非常用ボタン８２ａ、下側非常用ボタン８６ａ等を特に区別する必要が無い場合には、単にエレベータ用ボタン装置５０として共通で説明する。また、以下では、各エレベータ用操作盤１００（かご操作盤８、乗場操作盤９）に向って水平方向に沿った左右方向を幅方向、当該幅方向及び鉛直方向に直交する方向を奥行き方向という。さらに、エレベータ用操作盤１００に向って左側を幅方向左側、向って右側を幅方向右側という。また、エレベータ用操作盤１００に向って手前側を奥行き方向前面側、向って奥側を奥行き方向背面側という。
【００１５】
エレベータ用ボタン装置５０は、図３に示すように、ボタントップ５１と、スイッチケース５２と、ボタン枠５３と、ボタンカバー５４とを備える。エレベータ用ボタン装置５０は、さらにボタン枠５３等が設けられるフェースプレート５５を含んで構成されてもよい。
【００１６】
フェースプレート５５は、乗りかご２のリターンパネルや側板、背面板、乗場６の壁面等に形成されたボタン装置取付口を覆うようビス等によりこれらに取り付けられる。フェースプレート５５は、図３に示すように、矩形状のボタン孔５５ａが形成される。ここでは、ボタン孔５５ａは、各角部が曲面状に形成される。
【００１７】
ボタントップ５１、及び、スイッチケース５２は、図３に示すように、フェースプレート５５の奥行き方向背面側に配置される。スイッチケース５２は、スイッチを内蔵しており、スタッドボルト５２ａ、ナット５２ｂを介してフェースプレート５５に締結固定される。ボタントップ５１は、スイッチケース５２内のスイッチを操作するための押し込み式のボタンであり、ボタン孔５５ａと同様な矩形状に形成される。ボタントップ５１は、スイッチケース５２の奥行き方向前面側の面に着脱可能に設けられる。ボタントップ５１、及び、スイッチケース５２は、ボタントップ５１がフェースプレート５５のボタン孔５５ａから前面側に露出するような位置関係で配置される。ボタントップ５１、前面が鉛直方向に沿って平行となるように設けられるが、これに限らず、所定の方向から押下操作しやすいように鉛直方向に対して傾けて設けられていてもよい。
【００１８】
ボタン枠５３は、図３、図４に示すように、ボタントップ５１の周囲を囲むものである。ボタン枠５３は、全体として、矩形枠状に形成され、奥行き方向前面側からフェースプレート５５のボタン孔５５ａに装着され、このボタン枠５３の内側にボタントップ５１が位置する。
【００１９】
より具体的には、ボタン枠５３は、図３〜図８に示すように、枠状部５３ａと、係合爪部５３ｂと、カバー支持突部５３ｃとを有する。ボタン枠５３は、例えば、ＡＢＳ樹脂等により、枠状部５３ａ、係合爪部５３ｂ、カバー支持突部５３ｃが一体で形成される。
【００２０】
枠状部５３ａは、ボタン枠５３がフェースプレート５５に設置された状態で、ボタントップ５１の鉛直方向上端部及び下端部、幅方向左端部及び右端部を含む四方を囲うように形成される枠状の部分である。係合爪部５３ｂは、枠状部５３ａの奥行き方向背面側の面に形成される（図３、図８等参照）。係合爪部５３ｂは、枠状部５３ａの４辺にそれぞれ１つずつ設けられる。各係合爪部５３ｂは、ボタン枠５３がフェースプレート５５に設置された状態でボタントップ５１が位置する空間部５３ｄ（図３等参照）とは反対側に爪状に突出して形成される。ボタン枠５３は、図３等に示すように、この各係合爪部５３ｂがボタン孔５５ａの内周端部に係合することで、ボタン孔５５ａ内に装着される。枠状部５３ａは、各係合爪部５３ｂがボタン孔５５ａの内周端部に係合した状態でフェースプレート５５の前面側に突出した状態となる。
【００２１】
また、枠状部５３ａは、奥行き方向の前面５３ｅが平坦に形成される（図６、図７等参照）。前面５３ｅは、ボタン枠５３がフェースプレート５５に設置された状態で向って手前側に位置する面であり、この状態で鉛直方向及び幅方向とほぼ平行となる。
【００２２】
さらに、この枠状部５３ａは、図７、図８等に示すように、空間部５３ｄ側の面が前面５３ｅに対してほぼ垂直に形成される一方、空間部５３ｄとは反対側の側面に傾斜面５３ｆを有する。傾斜面５３ｆは、枠状部５３ａの鉛直方向下端側面、幅方向左端側面及び右端側面に形成される。傾斜面５３ｆは、奥行き方向前面側からフェースプレート５５側、すなわち、背面側に向って徐々に広がるように形成される。言い換えれば、傾斜面５３ｆは、奥行き方向背面側（フェースプレート５５側）から前面側に向って徐々に空間部５３ｄ側に近づくような傾斜面である。つまり、枠状部５３ａは、各傾斜面５３ｆによって、鉛直方向下端側面、幅方向左端側面及び右端側面が奥行き方向前面側から背面側に向って末広がりとなるように略台形断面状に形成される。
【００２３】
カバー支持突部５３ｃは、図３、図４、図５、図８等に示すように、ボタンカバー５４を回動可能に支持する部分である。カバー支持突部５３ｃは、枠状部５３ａの鉛直方向上端部に当該枠状部５３ａ等と一体で形成される。カバー支持突部５３ｃは、枠状部５３ａの鉛直方向上端部の幅方向両端に一対で形成される。各カバー支持突部５３ｃは、枠状部５３ａの鉛直方向上端部から鉛直方向上側でかつ奥行き方向前面側に向けて突出するように形成される。また、ボタン枠５３は、一対のカバー支持突部５３ｃの奥行き方向背面側の端部を連結するように底部５３ｇが形成される（図３、図４、図８等参照）。ボタン枠５３は、一対のカバー支持突部５３ｃ、枠状部５３ａの鉛直方向上端部、及び、底部５３ｇによって、後述するボタンカバー５４の回動軸部５４ｂを収容するための収容空間部５３ｈが形成される（図４、図７、図８等参照）。つまり、収容空間部５３ｈは、幅方向に対して一対のカバー支持突部５３ｃの間に形成され、鉛直方向上側、及び、奥行き方向前面側に開口している。
【００２４】
そして、各カバー支持突部５３ｃは、図４、図５〜図８等に示すように、それぞれボタンカバー５４を支持するための凹部５３ｉが形成される。凹部５３ｉは、各カバー支持突部５３ｃの上記収容空間部５３ｈ側の面に形成される。つまり、凹部５３ｉは、ボタン枠５３の鉛直方向上端部において幅方向両側に一対で設けられる。各凹部５３ｉは、円柱状の中空部として水平方向（幅方向）に沿って設けられる。各凹部５３ｉは、幅方向に沿って各カバー支持突部５３ｃを貫通してもよいし、貫通しなくてもよい。ここでは、各凹部５３ｉは、各カバー支持突部５３ｃを貫通している。
【００２５】
ボタンカバー５４は、図３、図４、図５、図６に示すように、ボタン枠５３の鉛直方向上端部に支持される。ボタンカバー５４は、水平方向に沿った回動軸線Ｘ１を中心として、閉位置（図４参照）と開位置（図６中の二点鎖線参照）とに上下回動自在である。ここで、ボタンカバー５４の閉位置とは、当該ボタンカバー５４によってボタントップ５１の前面を覆う位置である。一方、ボタンカバー５４の開位置とは、ボタントップ５１の前面が露出した位置である。
【００２６】
より具体的には、ボタンカバー５４は、図３、図４〜図６、図９に示すように、カバー部本体５４ａと、回動軸部５４ｂとを有する。ボタンカバー５４は、ポリカーボネート等の透明部材により、カバー部本体５４ａ、回動軸部５４ｂが一体で形成される。ボタンカバー５４は、典型的には、ボタン枠５３より強度が高く形成される。
【００２７】
カバー部本体５４ａは、矩形板状に形成される。カバー部本体５４ａは、閉位置でボタン枠５３の前面５３ｅと当接する（図４、図５、図６等参照）。カバー部本体５４ａは、閉位置で輪郭が当該ボタン枠５３の前面５３ｅの輪郭と同等に形成される。つまり、ボタンカバー５４は、ボタン枠５３に支持され閉位置にある状態でカバー部本体５４ａの縁とボタン枠５３の前面５３ｅの縁とがほぼ揃っている。
【００２８】
回動軸部５４ｂは、ボタン枠５３に回動可能に支持される部分である。回動軸部５４ｂは、カバー部本体５４ａの１つの辺に設けられる。回動軸部５４ｂは、ボタンカバー５４がボタン枠５３に支持された状態で、カバー部本体５４ａの鉛直方向上側となる辺に水平方向（幅方向）に沿って形成される。回動軸部５４ｂは、ボタンカバー５４がボタン枠５３に支持された状態で鉛直方向上側となる辺が曲面状に形成される（図９等参照）。回動軸部５４ｂは、幅方向の寸法がカバー部本体５４ａの幅方向の寸法より短くなっており、これにより、カバー部本体５４ａとの連結部分に幅方向に沿った段付部５４ｃが形成される（図９等参照）。段付部５４ｃは、回動軸部５４ｂの幅方向両側にそれぞれ形成される。
【００２９】
そして、回動軸部５４ｂは、図９に示すように、幅方向両端部にそれぞれボタン枠５３の凹部５３ｉに支持される突起部５４ｄが一対で形成される。各突起部５４ｄは、回動軸部５４ｂの幅方向両端から段付部５４ｃ側に水平方向（幅方向）に沿って突出するようにして形成される。各突起部５４ｄは、円柱状に形成され、幅方向に沿った長さが同等に形成される。各突起部５４ｄは、カバー部本体５４ａの幅方向の端面からは突出しない程度の長さで形成される。
【００３０】
本実施形態のエレベータ用ボタン装置５０は、上述したように、一対の凹部５３ｉと、一対の突起部５４ｄとを備える。そして、ボタンカバー５４は、図５等に示すように、各突起部５４ｄが各凹部５３ｉに挿入されることで、ボタン枠５３の鉛直方向上端部に水平方向に沿った回動軸線Ｘ１を中心として回動自在に支持される。エレベータ用ボタン装置５０は、各突起部５４ｄが凹部５３ｉに挿入されボタンカバー５４がボタン枠５３に組み付けられた状態で、図４、図５等に示すように、各カバー支持突部５３ｃが各段付部５４ｃ内に位置し、回動軸部５４ｂが収容空間部５３ｈ内に位置する。
【００３１】
なお、ボタンカバー５４は、ボタン枠５３に組みつけられた後に、ボタン枠５３と共にフェースプレート５５に取り付けられてもよいし、先にボタン枠５３がフェースプレート５５に取り付けられた後にボタン枠５３に組みつけられてもよい。この場合、エレベータ用ボタン装置５０は、各突起部５４ｄを各凹部５３ｉに挿入する際には、各カバー支持突部５３ｃが幅方向両側に撓むことで、上記挿入が可能となる。また、凹部５３ｉは、ボタン枠５３の鉛直方向上端部に設けられ、突起部５４ｄは、ボタンカバー５４に設けられるものとして説明したがこの逆でもよい。つまり、凹部５３ｉは、ボタンカバー５４に設けられ、突起部５４ｄは、ボタン枠５３の鉛直方向上端部に設けられてもよい。
【００３２】
ボタンカバー５４は、上記のように突起部５４ｄがボタン枠５３の凹部５３ｉに支持されることで、図６に示すように、閉位置（実線で図示）から全開位置（二点差線で図示）まで、１８０度以上回動可能である。ここで、閉位置は、より詳細には、ボタンカバー５４がボタン枠５３の前面５３ｅと当接する位置である。一方、全開位置は、ボタンカバー５４がフェースプレート５５と当接する位置である。ボタンカバー５４は、閉位置から全開位置までの間、回動が規制されることなく、１８０度以上回動可能である。ボタンカバー５４は、水平方向に沿った回動軸線Ｘ１を中心として回動自在な構成となっており、したがって、利用者等によって保持されていない状態では、自重によって閉位置に位置決めされる。
【００３３】
また、ボタンカバー５４は、閉位置で、図６に示すように、カバー部本体５４ａの各端面５４ｅ（少なくとも鉛直方向下側の端面５４ｅ）がボタン枠５３の前面５３ｅに対して垂直となるように形成される。つまり、ボタンカバー５４は、閉位置で、端面５４ｅがボタン枠５３の傾斜面５３ｆと面一にはならずに、若干屈曲したような表面形状となる。
【００３４】
さらに、ボタンカバー５４の回動軸線Ｘ１は、図５、図６に示すように、鉛直方向に対してボタントップ５１と重ならない位置に設定される。さらに言えば、ボタンカバー５４は、回動軸部５４ｂが鉛直方向に対してボタントップ５１と重ならない位置に設けられる。つまり、ボタンカバー５４は、奥行き方向前面側から視た正面視において、ボタントップ５１に対して回動軸部５４ｂが重ならないようにボタン枠５３に組み付けられる。
【００３５】
上記のように構成されるエレベータ用ボタン装置５０は、ボタン枠５３の鉛直方向上端部がボタンカバー５４を閉位置（図４参照）と開位置（図６中の二点鎖線参照）とに上下回動自在に支持する。これにより、エレベータ用ボタン装置５０は、ボタントップ５１のボタン枠５３を、ボタンカバー５４を支持する支持部材としても兼用することができる。この結果、エレベータ用ボタン装置５０は、ボタンカバー５４を支持する支持部材を別途設けることなく、構成部品点数を抑制し、製造コストを抑制した上で、ボタンカバー５４によって特定のボタンへの誤入力を抑制することができる。また、エレベータ用ボタン装置５０は、ボタンカバー５４を支持する支持部材等をフェースプレート５５に設けるためのビス孔加工等の追加加工も不要であるので、この点でも製造コストを抑制することができる。したがって、このエレベータ用ボタン装置５０は、簡単に設置することができ、その上で、適正に特定のボタンへの誤入力を抑制することができる。また、エレベータ用ボタン装置５０は、例えば、既存のボタン装置のボタン枠を本実施形態のボタン枠５３に交換することで、容易にボタンカバー５４を組み付け可能な構成とすることができる。
【００３６】
また、エレベータ用ボタン装置５０は、閉位置にて、カバー部本体５４ａの輪郭がボタン枠５３の前面５３ｅの輪郭と同等になるように構成されるので、ボタンカバー５４が閉位置にある状態で、ボタンカバー５４の端面５４ｅ等に不用意にモノが引っ掛かることを抑制することができる。
【００３７】
さらに、エレベータ用ボタン装置５０は、ボタンカバー５４が閉位置から全開位置まで回動が規制されることなく１８０度以上回動可能であることから、相対的に壊れにくい構成とすることができる。また、エレベータ用ボタン装置５０は、ボタンカバー５４が閉位置から全開位置まで１８０度以上回動可能であることから、例えば、設置高さにかかわらず、適切にボタンカバー５４を開いてボタントップ５１を押しやすい構成とすることができる。つまり、エレベータ用ボタン装置５０は、例えば、上側非常用ボタン８２ａと下側非常用ボタン８６ａとのように異なる設置高さに設けられる場合であっても共通の構成とすることでき、取り付け位置に対する汎用性を向上することができる。
【００３８】
また、エレベータ用ボタン装置５０は、ボタンカバー５４が透明部材により形成されることから、ボタンカバー５４を開けなくてもボタントップ５１を視認させることができる。これにより、エレベータ用ボタン装置５０は、ボタンカバー５４の表面にボタントップ５１の種類等を表示しておかなくても、利用者等に対してボタントップ５１の種類を把握させることができる。また、エレベータ用ボタン装置５０は、ボタンカバー５４がボタン枠５３より強度が高くなるように形成されるので、特定のボタンを確実に保護することができる。
【００３９】
なお、エレベータ用ボタン装置５０は、ボタンカバー５４の透明度を、ボタントップ５１を視認可能な程度に低くしてもよい。この場合、エレベータ用ボタン装置５０は、ボタントップ５１の視認性を確保した上で、利用者等に対してボタンカバー５４の存在を認識させることができる。また、ボタンカバー５４は、蓄光剤を含んで構成されるものであってもよい。この場合、エレベータ用ボタン装置５０は、例えば、停電時等に、利用者等に対してボタンカバー５４、ボタントップ５１の位置を認識させやすくすることができるので、非常用ボタン等を見つけ易くすることができる。なお、ボタンカバー５４は、上記に限らず、金属プレート等であってもよい。
【００４０】
さらに、エレベータ用ボタン装置５０は、ボタンカバー５４が自重によって閉位置に位置決めされることから、特定のボタンを使用しないときには、ボタンカバー５４を閉位置で維持することができる。
【００４１】
また、エレベータ用ボタン装置５０は、ボタン枠５３の枠状部５３ａに傾斜面５３ｆが形成される一方、ボタンカバー５４は、閉位置で、端面５４ｅがボタン枠５３の前面５３ｅに対して垂直となるように形成される。この結果、エレベータ用ボタン装置５０は、端面５４ｅと傾斜面５３ｆとが面一にならないので、端面５４ｅに指を掛け易くし、利用者等がボタンカバー５４を指でつまんで開き易い構成とすることができる。
【００４２】
さらに、エレベータ用ボタン装置５０は、ボタンカバー５４の回動軸線Ｘ１が鉛直方向に対してボタントップ５１と重ならない位置に設定されるので、ボタンカバー５４を開いた際にボタントップ５１の全面を露出させることができる。この結果、エレベータ用ボタン装置５０は、ボタントップ５１に対する押下操作をし易くすることができる。
【００４３】
また、エレベータ用ボタン装置５０は、ボタンカバー５４に設けられた一対の突起部５４ｄがボタン枠５３の鉛直方向上端部に設けられた一対の凹部５３ｉに挿入される。これにより、エレベータ用ボタン装置５０は、ボタンカバー５４を、ボタン枠５３の鉛直方向上端部に、水平方向に沿った回動軸線Ｘ１を中心として回動自在に支持することができる。
【００４４】
以上で説明したエレベータ用ボタン装置５０によれば、ボタントップ５１と、ボタン枠５３と、ボタンカバー５４とを備える。ボタントップ５１は、エレベータ１に設けられる。ボタン枠５３は、ボタントップ５１の周囲を囲む。ボタンカバー５４は、ボタン枠５３の鉛直方向上端部に支持され、水平方向に沿った回動軸線Ｘ１を中心として、ボタントップ５１の前面を覆う閉位置とボタントップ５１の前面が露出した開位置とに上下回動自在である。また、以上で説明したエレベータ用操作盤１００によれば、エレベータ１の乗りかご２内、又は、乗場６に設けられ利用者の操作を受け付けるエレベータ用操作盤１００であって、エレベータ用ボタン装置５０を備える。したがって、エレベータ用ボタン装置５０、エレベータ用操作盤１００は、ボタン枠５３を有効活用し、簡単にボタンカバー５４を設置することができ、その上で、適正に特定のボタンへの誤入力を抑制することができる。
【００４５】
［実施形態２］
図１０は、実施形態２に係るエレベータ用ボタン装置の斜視図である。実施形態２に係るエレベータ用ボタン装置、及び、エレベータ用操作盤は、ネジ部材を備える点で実施形態１とは異なる。その他、上述した実施形態と共通する構成、作用、効果については、重複した説明はできるだけ省略する。また、エレベータ用ボタン装置、エレベータ用操作盤の各構成については、適宜上述の図面を参照する場合がある（以下で説明する他の実施形態も同様である。）。
【００４６】
図１０に示す本実施形態のエレベータ用ボタン装置２５０は、エレベータ用操作盤１００に適用され、ここでは、さらに、ネジ部材２５６を備える。ネジ部材２５６は、例えば、イモネジ等によって構成される。ネジ部材２５６は、各凹部５３ｉ内にそれぞれ配置される。各ネジ部材２５６は、凹部５３ｉと突起部５４ｄ（図９等参照）とを接続する。これにより、エレベータ用ボタン装置２５０は、各凹部５３ｉと各突起部５４ｄとの係合をネジ部材２５６によって補強することができるので、ボタンカバー５４をボタン枠５３から取れにくくすることができる。
【００４７】
以上で説明したエレベータ用ボタン装置２５０、エレベータ用操作盤１００は、ボタン枠５３を有効活用し、簡単にボタンカバー５４を設置することができ、その上で、適正に特定のボタンへの誤入力を抑制することができる。
【００４８】
［実施形態３］
図１１は、実施形態３に係るエレベータ用ボタン装置の概略構成を表す模式的な側面図である。実施形態３に係るエレベータ用ボタン装置、及び、エレベータ用操作盤は、凹部の形状が実施形態１、２とは異なる。
【００４９】
図１１に示す本実施形態のエレベータ用ボタン装置３５０は、エレベータ用操作盤１００に適用される。本実施形態のボタン枠５３の鉛直方向上端部に設けられる凹部３５３ｉは、奥行き方向背面側がフェースプレート５５側まで貫通している。そして、本実施形態のボタンカバー５４は、突起部５４ｄが凹部３５３ｉ内に挿入されると共に、凹部３５３ｉ内でボタン枠５３とフェースプレート５５とに支持される。この場合、ボタンカバー５４は、先にボタン枠５３に組みつけられた後に、ボタン枠５３と共にフェースプレート５５に取り付けられる。この結果、ボタンカバー５４は、ボタン枠５３の背面側から組み付けられた上で、ボタン枠５３がフェースプレート５５に取り付けられることで、ボタン枠５３からはずれない構成とすることができる。
【００５０】
以上で説明したエレベータ用ボタン装置３５０、エレベータ用操作盤１００は、ボタン枠５３を有効活用し、簡単にボタンカバー５４を設置することができ、その上で、適正に特定のボタンへの誤入力を抑制することができる。
【００５１】
［実施形態４］
図１２は、実施形態４に係るエレベータ用ボタン装置の概略構成を表す分解斜視図である。実施形態４に係るエレベータ用ボタン装置、及び、エレベータ用操作盤は、突起部の寸法が実施形態１、２、３とは異なる。
【００５２】
図１２に示す本実施形態のエレベータ用ボタン装置４５０は、エレベータ用操作盤１００に適用される。そして、本実施形態のボタンカバー５４に形成される一対の突起部４５４ｄ１、４５４ｄ２は、一方が他方よりも短い。ここでは、一対の突起部４５４ｄ１、４５４ｄ２は、幅方向右側に設けられる突起部４５４ｄ１の幅方向長さＤ１１が幅方向左側に設けられる突起部４５４ｄ２の幅方向長さＤ１２より短く形成される。この場合、エレベータ用ボタン装置４５０は、各突起部４５４ｄ１、４５４ｄ２を各凹部５３ｉに挿入する際には、相対的に長い突起部４５４ｄ２を先に挿入した後、相対的に短い突起部４５４ｄ１を挿入する。これにより、エレベータ用ボタン装置４５０は、ボタンカバー５４をボタン枠５３に組み付け易く、また、はずれにくい構成とすることができる。
【００５３】
以上で説明したエレベータ用ボタン装置４５０、エレベータ用操作盤１００は、ボタン枠５３を有効活用し、簡単にボタンカバー５４を設置することができ、その上で、適正に特定のボタンへの誤入力を抑制することができる。
【００５４】
［実施形態５］
図１３は、実施形態５に係るボタンカバーの正面図である。実施形態５に係るエレベータ用ボタン装置、及び、エレベータ用操作盤は、突起部の形状が実施形態１、２、３、４とは異なる。
【００５５】
図１３に示す本実施形態のエレベータ用ボタン装置５５０は、エレベータ用操作盤１００に適用される。そして、本実施形態のボタンカバー５４に形成される一対の突起部５５４ｄは、それぞれ端面に幅方向に対して傾斜した傾斜面５５４ｄ１を有する。ここでは、各突起部５５４ｄは、ボタンカバー５４が閉位置にある状態で、鉛直方向上側の幅方向長さが相対的に短く、鉛直方向下側の幅方向長さが相対的に長くなるように、傾斜面５５４ｄ１が形成される。
【００５６】
これにより、エレベータ用ボタン装置５５０は、ボタンカバー５４を所定位置に回動させた状態で、ボタンカバー５４がボタン枠５３に対して、組み付けやすく、また、はずれやすい構成とすることができ、その他の位置でははずれにくい構成とすることができる。この場合、ボタンカバー５４は、閉位置で、全体を各突起部５５４ｄの短辺側、すなわち、鉛直方向上側に押すことで、ボタン枠５３に対して組み付けやすく、また、はずれやすい構成となる。同様に、ボタンカバー５４は、全開位置で、全体を各突起部５５４ｄの短辺側、すなわち、鉛直方向下側に押すことで、ボタン枠５３に対して組み付けやすく、また、はずれやすい構成となる。一方、ボタンカバー５４は、閉位置から９０度程度開いた位置（引っ張られやすい位置）では、奥行き方向前面側に対してはずれにくい構成となる。
【００５７】
以上で説明したエレベータ用ボタン装置５５０、エレベータ用操作盤１００は、ボタン枠５３を有効活用し、簡単にボタンカバー５４を設置することができ、その上で、適正に特定のボタンへの誤入力を抑制することができる。
【００５８】
［実施形態６］
図１４は、実施形態６に係るボタンカバーの正面図である。実施形態６に係るエレベータ用ボタン装置、及び、エレベータ用操作盤は、突起部の形状が実施形態５とは異なる。
【００５９】
図１４に示す本実施形態のエレベータ用ボタン装置６５０は、エレベータ用操作盤１００に適用される。そして、本実施形態のボタンカバー５４に形成される一対の突起部６５４ｄ１、６５４ｄ２は、それぞれ端面に幅方向に対して傾斜した傾斜面６５４ｄ３、６５４ｄ４を有する。そして、本実施形態の一対の突起部６５４ｄ１、６５４ｄ２は、当該傾斜面６５４ｄ３、６５４ｄ４の傾斜の方向が相互に異なる。ここでは、例えば、ボタンカバー５４が閉位置から９０度程度開いた位置で、突起部６５４ｄ１は、鉛直方向上側の幅方向長さが相対的に短く、鉛直方向下側の幅方向長さが相対的に長くなるように、傾斜面６５４ｄ３が形成される。一方、突起部６５４ｄ２は、同様の位置で、鉛直方向上側の幅方向長さが相対的に長く、鉛直方向下側の幅方向長さが相対的に短くなるように、傾斜面６５４ｄ４が形成される。
【００６０】
これにより、エレベータ用ボタン装置６５０は、ボタンカバー５４を所定位置に回動させた状態で、ボタンカバー５４がボタン枠５３に対して特定の方向にねじられたときに、ボタンカバー５４がボタン枠５３からはずれにくい構成とすることができる。例えば、右利きの利用者の場合、右手で時計回りにねじる動きの方が、力を入れ易い傾向にある。これに対して、エレベータ用ボタン装置６５０は、突起部６５４ｄ１、６５４ｄ２の傾斜面６５４ｄ３、６５４ｄ４が上記のような位置関係で形成される。これにより、エレベータ用ボタン装置６５０は、ボタンカバー５４が閉位置から９０度程度開いた位置で、時計回りにねじられた場合にボタン枠５３からはずれにくい構成とすることができる。なお、エレベータ用ボタン装置６５０は、突起部６５４ｄ１、６５４ｄ２の傾斜面６５４ｄ３、６５４ｄ４を適宜調節することで、ボタンカバー５４がはずれにくくなる位置、及び、はずれにくいねじり方向を適宜調節することができる。
【００６１】
以上で説明したエレベータ用ボタン装置６５０、エレベータ用操作盤１００は、ボタン枠５３を有効活用し、簡単にボタンカバー５４を設置することができ、その上で、適正に特定のボタンへの誤入力を抑制することができる。
【００６２】
［実施形態７］
図１５は、実施形態７に係るボタンカバーの部分正面図である。実施形態７に係るエレベータ用ボタン装置、及び、エレベータ用操作盤は、突起部の形状が実施形態１、２、３、４、５、６とは異なる。
【００６３】
図１５に示す本実施形態のエレベータ用ボタン装置７５０は、エレベータ用操作盤１００に適用される。そして、本実施形態のボタンカバー５４に形成される一対の突起部７５４ｄは、曲面状に形成される。これにより、ボタンカバー５４は、突起部７５４ｄが凹部５３ｉに挿入され、ボタン枠５３に組み付けられた状態で、当該ボタンカバー５４が引っ張られた際に、当該曲面状に形成された突起部７５４ｄに応力が集中し易い形状とすることができる。この結果、ボタンカバー５４は、ボタン枠５３等よりも先に突起部７５４ｄが破損し易い形状とすることができる。したがって、エレベータ用ボタン装置７５０は、ボタン枠５３等よりも交換し易いボタンカバー５４が先に破損するような構成とすることができる。この結果、エレベータ用ボタン装置７５０は、ボタンカバー５４が引っ張られた場合に、破損したときの取り替えが容易なボタンカバー５４を破損させるかわりに、ボタン枠５３等を破損から保護することができる。
【００６４】
以上で説明したエレベータ用ボタン装置７５０、エレベータ用操作盤１００は、ボタン枠５３を有効活用し、簡単にボタンカバー５４を設置することができ、その上で、適正に特定のボタンへの誤入力を抑制することができる。
【００６５】
［実施形態８］
図１６は、実施形態８に係るボタンカバーの部分正面図である。実施形態８に係るエレベータ用ボタン装置、及び、エレベータ用操作盤は、突起部の形状が実施形態１、２、３、４、５、６、７とは異なる。
【００６６】
図１６に示す本実施形態のエレベータ用ボタン装置８５０は、エレベータ用操作盤１００に適用される。そして、本実施形態のボタンカバー５４に形成される一対の突起部８５４ｄは、回動軸線Ｘ１の周方向に沿って形成される環状溝８５４ｆを有する。環状溝８５４ｆは、円柱状に形成される突起部８５４ｄの外周面において周方向に貫通した円環状に形成される。これにより、ボタンカバー５４は、突起部８５４ｄが凹部５３ｉに挿入され、ボタン枠５３に組み付けられた状態で、当該ボタンカバー５４が引っ張られた際に、当該環状溝８５４ｆに応力が集中し易い形状とすることができる。この結果、ボタンカバー５４は、ボタン枠５３等よりも先に突起部８５４ｄの環状溝８５４ｆで破損し易い形状とすることができる。したがって、エレベータ用ボタン装置８５０は、ボタン枠５３等よりも交換し易いボタンカバー５４が先に破損するような構成とすることができる。この結果、エレベータ用ボタン装置８５０は、ボタンカバー５４が引っ張られた場合に、破損したときの取り替えが容易なボタンカバー５４を破損させるかわりに、ボタン枠５３等を破損から保護することができる。
【００６７】
以上で説明したエレベータ用ボタン装置８５０、エレベータ用操作盤１００は、ボタン枠５３を有効活用し、簡単にボタンカバー５４を設置することができ、その上で、適正に特定のボタンへの誤入力を抑制することができる。
【００６８】
［実施形態９］
図１７は、実施形態９に係るボタン枠の幅方向に沿った断面図である。実施形態９に係るエレベータ用ボタン装置、及び、エレベータ用操作盤は、ボタン枠の所定の位置に切り欠きが設けられる点で実施形態１、２、３、４、５、６、７、８とは異なる。
【００６９】
図１７に示す本実施形態のエレベータ用ボタン装置９５０は、エレベータ用操作盤１００に適用される。そして、本実施形態では、突起部５４ｄと凹部５３ｉとの係合部位は、ボタン枠５３とフェースプレート５５との係合部位、ここでは、係合爪部５３ｂよりも外れ易い構成となっている。
【００７０】
本実施形態では、ボタン枠５３は、凹部５３ｉが設けられる部分、ここでは、カバー支持突部５３ｃの基端部に切り欠き９５３ｊが形成される。切り欠き９５３ｊは、各カバー支持突部５３ｃに対してそれぞれ形成される。切り欠き９５３ｊは、カバー支持突部５３ｃの基端部、すなわち、奥行き方向背面側の端部において、幅方向に沿って形成される。各切り欠き９５３ｊは、傾斜面５３ｆ側が閉塞している一方、他端側が収容空間部５３ｈに開口している。
【００７１】
これにより、ボタン枠５３は、凹部５３ｉに突起部５４ｄが挿入され、ボタンカバー５４が組み付けられた状態で、当該ボタンカバー５４が引っ張られた際に、各カバー支持突部５３ｃが幅方向外側に向けて撓みやすい形状とすることができる。この結果、エレベータ用ボタン装置９５０は、ボタンカバー５４が引っ張られた際に、突起部５４ｄと凹部５３ｉとの係合部位が、ボタン枠５３の係合爪部５３ｂよりも外れ易い構成とすることができる。
【００７２】
したがって、エレベータ用ボタン装置９５０は、当該ボタンカバー５４が引っ張られた際に、ボタンカバー５４がボタン枠５３からはずれ易くすることができる。この結果、エレベータ用ボタン装置９５０は、当該ボタンカバー５４が引っ張られた際に、ボタンカバー５４がボタン枠５３からすぐにはずれることで、ボタン枠５３やボタンカバー５４の破損自体を抑制することができる。
【００７３】
以上で説明したエレベータ用ボタン装置９５０、エレベータ用操作盤１００は、ボタン枠５３を有効活用し、簡単にボタンカバー５４を設置することができ、その上で、適正に特定のボタンへの誤入力を抑制することができる。
【００７４】
［実施形態１０］
図１８は、実施形態１０に係るボタンカバーの正面図である。実施形態１０に係るエレベータ用ボタン装置、及び、エレベータ用操作盤は、ボタンカバーの所定の位置に切り欠きが設けられる点で実施形態１、２、３、４、５、６、７、８、９とは異なる。
【００７５】
図１８に示す本実施形態のエレベータ用ボタン装置１０５０は、エレベータ用操作盤１００に適用される。そして、本実施形態では、突起部５４ｄと凹部５３ｉとの係合部位は、ボタン枠５３とフェースプレート５５との係合部位、ここでは、係合爪部５３ｂよりも外れ易い構成となっている。
【００７６】
本実施形態では、ボタンカバー５４は、幅方向に対する一対の突起部５４ｄの間に切り欠き１０５４ｇが形成される。切り欠き１０５４ｇは、回動軸部５４ｂに設けられる。切り欠き１０５４ｇは、ボタン枠５３に組み付けられ、閉位置にある状態で、鉛直方向上側に開口している。
【００７７】
これにより、ボタンカバー５４は、突起部５４ｄが凹部５３ｉに挿入され、ボタン枠５３に組み付けられた状態で、当該ボタンカバー５４が引っ張られた際に、一対の突起部５４ｄが設けられた部分が幅方向内側に向けて撓みやすい形状とすることができる。この結果、エレベータ用ボタン装置１０５０は、ボタンカバー５４が引っ張られた際に、突起部５４ｄと凹部５３ｉとの係合部位が、ボタン枠５３の係合爪部５３ｂよりも外れ易い構成とすることができる。
【００７８】
したがって、エレベータ用ボタン装置１０５０は、当該ボタンカバー５４が引っ張られた際に、ボタンカバー５４がボタン枠５３からはずれ易くすることができる。この結果、エレベータ用ボタン装置１０５０は、当該ボタンカバー５４が引っ張られた際に、ボタンカバー５４がボタン枠５３からすぐにはずれることで、ボタン枠５３やボタンカバー５４の破損自体を抑制することができる。
【００７９】
以上で説明したエレベータ用ボタン装置１０５０、エレベータ用操作盤１００は、ボタン枠５３を有効活用し、簡単にボタンカバー５４を設置することができ、その上で、適正に特定のボタンへの誤入力を抑制することができる。
【００８０】
なお、上述した実施形態に係るエレベータ用ボタン装置、及び、エレベータ用操作盤は、上述した実施形態に限定されず、特許請求の範囲に記載された範囲で種々の変更が可能である。本実施形態に係るエレベータ用ボタン装置、及び、エレベータ用操作盤は、以上で説明した各実施形態、変形例の構成要素を適宜組み合わせることで構成してもよい。
【００８１】
以上で説明した実施形態、変形例に係るエレベータ用ボタン装置、及び、エレベータ用操作盤によれば、簡単に設置することができ、適正に特定のボタンへの誤入力を抑制することができる。
【００８２】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８３】
５０  エレベータ用ボタン装置
５１    ボタントップ
５３    ボタン枠
５３ａ    枠状部
５３ｃ    カバー支持突部
５３ｅ    前面
５３ｈ    収容空間部
５３ｉ    凹部
５４    ボタンカバー
５４ａ    カバー部本体
５４ｂ    回動軸部
５４ｃ    段付部
Ｘ１    回動軸線
【図１】
2015024916.tif 000003
【図２】
2015024916.tif 000004
【図３】
2015024916.tif 000005
【図４】
2015024916.tif 000006
【図５】
2015024916.tif 000007
【図６】
2015024916.tif 000008
【図７】
2015024916.tif 000009
【図８】
2015024916.tif 000010
【図９】
2015024916.tif 000011
【図１０】
2015024916.tif 000012
【図１１】
2015024916.tif 000013
【図１２】
2015024916.tif 000014
【図１３】
2015024916.tif 000015
【図１４】
2015024916.tif 000016
【図１５】
2015024916.tif 000017
【図１６】
2015024916.tif 000018
【図１７】
2015024916.tif 000019
【図１８】
2015024916.tif 000020
【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
エレベータに設けられるボタントップと、前記ボタントップの周囲を囲むボタン枠と、前記ボタン枠の鉛直方向上端部に支持され、水平方向に沿った回動軸線を中心として、前記ボタントップの前面を覆う閉位置と前記ボタントップの前面が露出した開位置とに上下回動自在であるボタンカバーとを備え、前記ボタン枠は、前記ボタントップを囲うように形成される枠状部と、前記枠状部の鉛直方向上端部から奥行き方向前面側に向けて突出し、前記枠状部の幅方向両端に一対で形成される各カバー支持突部とを有し、前記ボタンカバーは、前記閉位置で前記ボタン枠の前面と当接し、輪郭が当該ボタン枠の前面の輪郭と同等に形成されるカバー部本体と、当該カバー部本体の鉛直方向上側となる１つの辺に幅方向に沿って設けられ、前記カバー部本体の前記幅方向の寸法より短く形成される回動軸部を有し、前記回動軸部は前記各カバー支持突部の間に位置し、前記各カバー支持突部に対して回動自在に支持されることを特徴とする、エレベータ用ボタン装置。
【請求項２】
前記ボタンカバーは、前記ボタン枠の前面と当接する前記閉位置から、前記ボタン枠が設けられるフェースプレートと当接する全開位置まで、１８０度以上回動可能である、  請求項１に記載のエレベータ用ボタン装置。
【請求項３】
前記ボタン枠は、前面側から、当該ボタン枠が設けられるフェースプレート側に向って徐々に広がる傾斜面が形成された枠状部を有し、前記ボタンカバーは、前記閉位置で、端面が前記ボタン枠の前面に対して垂直となるように形成される、請求項１又は請求項２に記載のエレベータ用ボタン装置。
【請求項４】
前記回動軸線は、鉛直方向に対して前記ボタントップと重ならない位置に設定される、請求項１乃至請求項３のいずれか１項に記載のエレベータ用ボタン装置。
【請求項５】
前記各カバー支持突部、又は、前記回動軸部の幅方向両端に幅方向に沿って設けられる一対の凹部と、前記各カバー支持突部、又は、前記回動軸部の幅方向両端に幅方向に沿って設けられる一対の突起部とを備え、前記回動軸部は、各前記突起部が各前記凹部に挿入されることで、前記各カバー支持突部に幅方向に沿った回動軸線を中心として回動自在に支持される、請求項１乃至請求項４のいずれか１項に記載のエレベータ用ボタン装置。
【請求項６】
前記突起部は、前記回動軸部に設けられ、前記凹部は、前記各カバー支持突部に設けられると共に前記ボタン枠が設けられるフェースプレート側まで貫通し、前記ボタンカバーは、前記突起部が前記凹部内で前記ボタン枠と前記フェースプレートとに支持される、  請求項５に記載のエレベータ用ボタン装置。
【請求項７】
エレベータの乗りかご内、又は、乗場に設けられ利用者の操作を受け付けるエレベータ用操作盤であって、ボタントップと、前記ボタントップの周囲を囲むボタン枠と、前記ボタン枠の鉛直方向上端部に支持され、水平方向に沿った回動軸線を中心として、前記ボタントップの前面を覆う閉位置と前記ボタントップの前面が露出した開位置とに上下回動自在であるボタンカバーとを有し、前記ボタン枠は、前記ボタントップを囲うように形成される枠状部と、前記枠状部の鉛直方向上端部から奥行き方向前面側に向けて突出し、前記枠状部の幅方向両端に一対で形成される各カバー支持突部とを有し、前記ボタンカバーは、前記閉位置で前記ボタン枠の前面と当接し、輪郭が当該ボタン枠の前面の輪郭と同等に形成されるカバー部本体と、当該カバー部本体の鉛直方向上側となる１つの辺に幅方向に沿って設けられ、前記カバー部本体の前記幅方向の寸法より短く形成される回動軸部を有し、前記回動軸部は前記各カバー支持突部の間に位置し、前記各カバー支持突部に対して回動自在に支持されるエレベータ用ボタン装置を備えることを特徴とする、エレベータ用操作盤。
【手続補正２】
【補正対象書類名】明細書
【補正対象項目名】０００５
【補正方法】変更
【補正の内容】
【０００５】
実施形態のエレベータ用ボタン装置は、ボタントップと、ボタン枠と、ボタンカバーとを備える。ボタントップは、エレベータに設けられる。ボタン枠は、前記ボタントップの周囲を囲む。ボタンカバーは、前記ボタン枠の鉛直方向上端部に支持され、水平方向に沿った回動軸線を中心として、前記ボタントップの前面を覆う閉位置と前記ボタントップの前面が露出した開位置とに上下回動自在である。前記ボタン枠は、前記ボタントップを囲うように形成される枠状部と、前記枠状部の鉛直方向上端部から奥行き方向前面側に向けて突出し、前記枠状部の幅方向両端に一対で形成される各カバー支持突部とを有する。前記ボタンカバーは、前記閉位置で前記ボタン枠の前面と当接し、輪郭が当該ボタン枠の前面の輪郭と同等に形成されるカバー部本体と、当該カバー部本体の鉛直方向上側となる１つの辺に幅方向に沿って設けられ、前記カバー部本体の前記幅方向の寸法より短く形成される回動軸部を有する。前記回動軸部は前記各カバー支持突部の間に位置し、前記各カバー支持突部に対して回動自在に支持される。